(57)【要約】【課題】  使用者の足の甲が高さや、足にかかる荷重の変動に関係なく、また、苦痛を与えることなく、強度に扁平化した足の縦アーチを中空の荷重に強いアーチとして安定的に維持再生する健康具を提供することを課題とする。【解決手段】足の縦アーチの前端部である第１〜第５中足骨のうち少なくとも１つの中足骨を触知可能な足裏部位が当接する第１の部材と、該縦アーチの後端部である踵骨を触知可能な踵部が当接する第２の部材と、前記第１、第２の部材を足の長手方向に相対的移動を可能とする移動機構からなり、前記第１の部材は足が当接する面を土踏まず側が低い傾斜角で調整可能な支持機構を有し、前記第２の部材は踵骨を触知可能な踵部を受け止めて圧力を分散する機能を有することにより足の縦アーチを再生する健康具を構成し、課題を解決する手段とした。【選択図】図５
2014213189.tif 000002
【特許請求の範囲】
【請求項１】
足の縦アーチの前端部である第１〜第５中足骨のうち少なくとも１つの中足骨を触知可能な足裏部位が当接する第１の部材と、該縦アーチの後端部である踵骨を触知可能な踵部が当接する第２の部材と、前記第１、第２の部材を足の長手方向に相対的移動を可能とする移動機構からなり、前記第１、第２の部材のうち少なくとも一方の部材の足が当接する面は土踏まず側が低い傾斜に設定してあることを特徴とする足の縦アーチを再生する健康具。
【請求項２】
前記当接する面の傾斜角を調整可能な支持機構を有することを特徴とする請求項１に記載の足の縦アーチを再生する健康具。
【請求項３】
前記第２の部材の踵の底部が当接する面は、外側よりも内側が低い傾斜角、または水平の状態、または内側よりも外側が低い傾斜角で固定可能な調整機構を有することを特徴とする請求項１又は２に記載の足の縦アーチを再生する健康具。
【請求項４】
前記第１の部材は足が当接する面を土踏まず側が低い傾斜角で調整可能な支持機構を有し、前記第２の部材には踵骨の後面を触知可能な踵部を受け止めて圧力を分散させる部材を設けたことを特徴とする請求項１乃至３のいずれか１項に記載の足の縦アーチを再生する健康具。
【請求項５】
前記第１の部材、および第２の部材の少なくとも一方は、当接する足部を受け止めて圧力を分散する機能を有することを特徴とする請求項１乃至４のいずれか１項に記載の足の縦アーチを再生する健康具。
【請求項６】
前記第１、第２の部材の間に、前記縦アーチの頂点近傍の足裏部位に当接して足のアーチを再生する方向に押し上げる部材を備えていることを特徴とする請求項１乃至５のいずれか１項に記載の足の縦アーチを再生する健康具。
【請求項７】
前記押し上げる部材は前記足裏部位に当接して足のアーチを再生する方向に移動可能とする移動機構を備えていることを特徴とする請求項６に記載の足の縦アーチを再生する健康具。
【請求項８】
さらには、足根部を内側と外側から挟みこむ機構を備えたことを特徴とする請求項１乃至５のいずれか１項に記載の足の縦アーチを再生する健康具。
【発明の詳細な説明】
【技術分野】
【０００１】  本発明は快適で健康的な歩行や立位を支援する足の健康具に関し、更に詳しくは、扁平化した足の長手方向の縦アーチを中空の荷重に強いアーチとして再生する足の健康具に関する。
【背景技術】
【０００２】  私たちヒトは、陸上動物の進化史の最後に登場した二足直立歩行をする唯一の動物である。私たちヒトの足の裏は図１（ａ）のようになっている。そこには、「土踏まず」１という文字通り地面に接しない足の骨格構造図１（Ｃ）に内臓されている３つのアーチ、図４（ｄ）からなる空間がある。図１（ｅ）は、土踏まずが正常な人の足の骨格の側面図である。弓なりの破線Ｘは内側の縦アーチの曲線の軸芯ラインを示す。土踏まずは、それまでの四足動物やサルの足図４（ｂ）の足裏にはない。【０００３】  土踏まずの形状が不十分な人は少なくない。そういう人たちの足の骨格の側面像は図１（ｇ）のように弓なりのアーチ曲線が扁平化した破線Ｙの状態になっていることがある。土踏まずが扁平化した人の足裏が地面と接する形は図１（ｈ）のように土踏まず１を喪失していることがある。その様な人たちは、足や膝、股関節や腰等に疲れや痛み、だるさ、むくみなどを訴えることが多い。【０００４】  従来の足の縦アーチを再生する健康具は２つある。【０００５】  一つ目は、図６（Ａ）（Ｂ）に示すように、帯状部１０と固定ひも部３０で構成された装具である。帯状部１０により、横アーチの両脚部は足裏の中心方向に誘導されて横アーチが再形成される。帯状部が当接し、再生した横アーチには内側、外側の縦アーチの前脚が含まれており、内側、外側の縦アーチの後脚は踵骨が兼任しているので、帯状部と踵骨を近接させることで、事実上、内側、外側の縦アーチが再生することになる。帯状部と踵骨を近接させるための手段として固定ひもを帯状部に延設し、踵を経由させた固定ひも部の両端と本体部とを結合することで足の内側と外側の縦アーチを再生する。（例えば、特許文献１参照）【０００６】  二つ目は、図６（Ｃ）乃至（Ｅ）に示すような装着具である。指の付け根位置あるいは足指の付け根から所要寸法隔てた位置から足裏中央部を越えて踵側へと向けて縦方向に配置した足裏高パワー部２１を設け、着用状態で土踏まずの部分が足の内側と外側の縦アーチを形成する構造になっている。（例えば、特許文献２参照）【０００７】
【特許文献１】  特許登録第４３７４４２４号
【特許文献２】  特許登録第４６９０９３１号
【発明の開示】
【発明が解決しようとする課題】
【０００８】  特許文献１は、足の横アーチを補強、再生した帯状部１０は、横から見ると図６（Ａ）にあるように、ちょうど円錐の尖端部を切った漏斗状の筒体をなしている。漏斗状の筒体は、足首方向へ固定ひも部で引っ張ると、筒体はさらに足にフィットして、しっかりと足周囲を締めつける。固定ひも部には足の横アーチ部を補強、再生した帯状部を踵側に誘導し、ショパール関節、及びリスフラン関節、および足根間関節など、足の長手方向の締結を強化し、足の内側、および外側の縦アーチを補強、再生する働きがある。【０００９】  しかし、人の足の甲の形には個人差がある。特許文献１の図６（Ａ）のように、横から見た足の形が「甲高の人」の場合であれば上記作用が生じるが、足の甲が低い人、横から見て勾配の小さい人の足は、帯状部が漏斗状の筒体にならない。そのような筒体を固定ひも部で踵方向へ引っ張っても筒体が足首側にずれてしまうため、帯状部と踵骨は有効に近接しない。したがって、足の甲が低い人の場合、その人の足の内側、および外側の縦アーチを補強、再生することはできなかったという課題があった。また、足の長手方向の両端部に近接力が作用すると足の縦アーチ再生は効率よく行えるのであるが、この先行技術は、足の甲部の中間部と踵の後部に近接力が作用する方式であるため、強度の扁平足場合は十分な縦アーチ再生ができないという欠点があった。【００１０】  特許文献２は、足の縦アーチを再生する健康具および履き物は、弾性を有するソックス等に弾性を有する帯状の繊維帯を逢着することで足の縦アーチ形成し、維持するとしている。しかしながら、従来の弾性を有するソックス等に弾性を有する繊維帯を設けた足の縦アーチを再生する健康具は、絶えず荷重負荷が変動する足の縦アーチを中空の荷重に強いアーチとして安定的に維持することはできないという欠点があった。【００１１】  身体の最下部にある足は、荷重の変動が大きい。歩行時、足は地面を離れて前方に送る無負荷の状態から、着地して全体重が負荷する状態にまで一歩一歩入れ替わる。つまり、足は歩行時、自重０％〜１００％の間を毎歩ごとに入れ替わり変動するのである。それが早足になったり、更に速度が上がってランニングになると、足への荷重は自重の２倍にも及ぶことがある。【００１２】  仮に、弾性を有するソックス等で静止立位時の体重６０キログラムの人の足の縦アーチが維持できるとする。左右の足には３０キログラム、３０キログラムの荷重が均等に配分されたものとすると、ソックスの弾性は３０キログラムの荷重に抗して縦アーチを形成する能力があることになる。体重６０キログラムの人が歩き始めると、片足にかかる荷重は０キログラムから６０キログラムまでの変動巾が生じる。片足が地面から完全に離れて前方に送り出される遊脚期は、足にかかる荷重が０キログラムになる。この時、３０キログラムもの荷重に抗してアーチを形成するソックスの収縮力は、かかる荷重が０キログラムの足にとっては、適正な足の縦アーチを形成するどころか、むしろ過剰な弓なりのハイアーチを形成するリスクになるとともに、無負荷の足を締め付けすぎて足の血行を阻害するリスクにもなる。そして、全体重６０キログラムグラムが片足にかかる立脚中期には、��０キログラムに抗するソックスの収縮力では足の縦アーチを形成するまでに及ばないため、理論的にも縦アーチの維持は無理であり扁平化から脱しにくい。また、早足やランニングの祭には、足の縦アーチを形成するには遠く及ばないため、縦アーチの維持は困難となり扁平化は避けられない。また、この先行技術は、指の付け根位置あるいは足指の付け根の手前から所要寸法隔てた位置から足裏中央部を越えて踵の手前まで、縦方向に配置した足裏高パワー部が足の長手方向の両端部に近接力を与えて足の縦アーチ再生に貢献するが、この靴下は、構造上、足の指の股部に靴下の繊維の引っ張り力が作用するため、使用に際し足の指の股部に苦痛をともなうという欠点があった。【００１３】  以上述べた従来の足の縦アーチを再生する健康具では、使用者の足の甲が高さや、足にかかる荷重の変動により、強度に扁平化した足の縦アーチを中空の荷重に強いアーチとして安定的に維持再生することが困難であったし、苦痛を与えるという欠点があった。【００１４】  本発明は、このような従来の構成が有していた問題を解決しようとするものであり、使用者の足の甲が高さや、足にかかる荷重の変動に関係なく、また、苦痛を与えることなく、強度に扁平化した足の縦アーチを中空の荷重に強いアーチとして安定的に維持再生する健康具を提供することを目的とする。
【課題を解決するための手段】
【００１５】  そして、本発明は上記目的を達成するために、以下の手段をとった。足の縦アーチの前端部である第１〜第５中足骨のうち少なくとも１つの中足骨を触知可能な足裏部位が当接する第１の部材と、該縦アーチの後端部である踵骨を触知可能な踵部が当接する第２の部材と、前記第１、第２の部材を足の長手方向に相対的移動を可能とする移動機構からなり、前記第１、第２の部材のうち少なくとも一方の部材の足が当接する面は土踏まず側が低い傾斜に設定したことにより足の縦アーチを再生する健康具を構成している。【００１６】  上記第１の課題解決手段による作用は次の通りである。すなわち、上記第１の課題解決手段による作用は次の通りである。すなわち、上記第１の課題解決手段により、以下の２つの作用が生じる。１つ目の作用は、利用者の足裏の違和感や苦痛の軽減である。第１の部材においては、中足骨の頭部の接点が、真下の脂肪組織が厚いところから、軸芯近傍の脂肪組織が薄いところへ移動すること。第２の部材においても同様に、接点が踵骨の真下の脂肪組織が厚いところから、踵骨後下方の脂肪組織が薄いところへ移動する。第１、および第２の部材が水平にある場合、移動機構により第１、および第２の部材が近接する際、先に部材に接する表層の柔軟な皮膚や厚い脂肪層組織が誘導され、それに遅れて中足骨の頭部や踵といった骨組織が誘導される。脂肪層が厚いほど、骨組織が移動するタイミングは遅くなる。それは、両組織の剪断性となる。その大きさは、利用者の足裏の違和感や痛みになる。ところが、第１、第２の部材のうち少なくとも一方の部材の足が当接する面は土踏まず側が低い傾斜に設定したことにより、接点は脂肪組織の薄いところになる。すると、移動機構で両部材を近接させる際、表層の柔軟な組織の移動と深部の硬い骨組織の移動のタイミングの差が小さくなる。つまり、両組織の剪断性の応力は減るので、利用者の足裏の違和感や苦痛は減ることになる。二つ目の作用は、縦アーチの高位を効率よく再生することができるという点である。前記第１、第２の部材のうち少なくとも一方の部材の足が当接する面を土踏まず側が低い傾斜に設定したことにより、足の接点が脂肪組織の厚いところから薄いところに移動したと同時に、部材と深部骨組織の描くアーチ曲線の軸芯ラインが近づくことになる。部材と深部骨組織の描くアーチ曲線の軸芯ラインが一方でも近づけば、移動機構によって両部材を近づける操作をする時、その合力のベクトル、図１のｆ３はアーチの頂点方向に向くようになる。つまり、両部材を近づける力は、骨組織に直達的に作用してアーチの両脚間を近づけると同時に扁平化していたアーチの頂点近傍にその再生にふさわしい上方向の揚力を与えることになるので、扁平化した足の縦アーチの高位を効率よく再生することができる。このとき、足の甲の高さや荷重の変動は関係ない。【００１７】第２の課題解決手段は、前記当接する面の傾斜角を調整可能な支持機構を有することにより足の縦アーチを再生する健康具を構成している。【００１８】  上記第２の課題解決手段による作用は次の通りである。上記第２の課題解決手段による作用は次の通りである。まず、使用者それぞれの足の関節の可動性制約、さらには、使用者の健康度合いによってできる姿勢の制約に対して、柔軟に対応し、足の縦アーチを再生することができるようになった。足の形や、足の関節の可動性には少なからぬ個人差がある。殊に、足のアーチが扁平化した人々を対象とする健康具であるから、多様な足に対応できる機能がある方がよい。そうした観点から、任意の傾斜をもたせたい第１、第２の部材に傾斜角を調整可能な支持機構１００、１０２を設けることにした。これにより、足の形と、足の関節の可動性が異なる利用者ひとりひとりにとって最も無理のない足の指の曲げ角や踵の位置で足の縦アーチを再生する操作を行なうことができるようになった。また、小さな足の関節の可動性から、さらに大きな個人差に観点を移す。人は健康の度合いによって、足腰の動きやできる姿勢に制約がある。そのため１つの実施形態だけでは対応しきれない課題に気づき、さまざまな実施形態を用意する必要がある。▲１▼足腰や膝等に多少痛みはあるが、自力で立ったり、歩いたりできる方。▲２▼イスには座れるが自歩できない車いすの方。▲３▼四つんばい移動でなんとか用を足せる方。▲４▼足腰がきわめて不自由で寝たきりの方などいろいろな個人差がある。健康度の高い▲１▼の方には第１、第２の部材ともに傾斜を持たせるパターンで対応可能である。▲２▼のイスには座れるが自歩できない車いすの方には、第１の部材のみに傾斜を持たせるパターンがよい。▲３▼のなんとか四つんばいで用を足せる方には、第２の部材のみに傾斜を持たせたパターンで対応可能である。▲４▼の寝たきりの方は後に述べる第４の解決手段の変形例が対応可能である。それぞれの詳細は後の実施例で述べる。足に様々な病的な形態や機能異常を有する利用者にとって、自分にふさわしい肢位で、苦痛が少なく、かつ、効率よく足の縦アーチを再生する操作を受けられることは自立歩行への復帰の起点となる。【００１９】  第３の課題解決の手段は、前記第２の部材の踵の底部が当接する面は、外側よりも内側が低い傾斜角、または水平の状態、または内側よりも外側が低い傾斜角で固定可能な調整機構を有することで足の縦アーチを再生する健康具を構成した。【００２０】  第３の課題解決の手段による作用について図６（Ａ）（Ｂ）（Ｃ）をもとに説明する。強度な扁平足のひとつに外反扁平足という形態がある。外反扁平足は図６（Ｂ）であり、足のアーチの低下による扁平足と、足部を後方から見たとき踵骨と距骨を通る垂直方向の縦軸が下腿の縦軸に対して外側に屈曲している外反足が合併した状態である。健全な足は図６（Ａ）および（１）であり、通常の扁平足の足裏接地形状は図６（２）である。外反扁平足はこれよりも強度な扁平足であり、図６（３）のように足裏の接地形状は内側への膨出が大きな足圧痕を示す。通常、足底装具では、内側の縦アーチの載距突起部にパッドを貼付したり、踵の内側足底面が高くなるように内側ウェッジを中敷き等に貼付したりして外反扁平足に対応しているようであるが、本願第３の課題解決の手段は、第２の土台と基盤の間に設けた前後方向の正中軸を中心に第２の部材は、内傾、水平、外傾の状態に可動できる。そして、第２の土台の内外側部に設けたネジで第２の部材の傾斜角を固定可能になっている。外反扁平足に��しては、踵骨が当接する第２の部材を水平状態から少しずつ内側よりも外側が低い傾斜状態にしながら、踵骨と距骨を通る垂直方向の縦軸と下腿の縦軸がほぼ一線状になる角度をさがして固定する。これにより歪んでいた距骨下関節と距腿関節に重力や荷重が正しく流れるようになる。つまり、距骨下関節においてその上下方向が整合される。この状態で第１又は第２の課題解決の手段を実施する。足の長手方向に入力することで、内側と外側の縦アーチの共通軸である距骨下関節部の前後方向がほぼ整合されると同時に、利用者に苦痛を与えることなく、縦アーチの再生も可能となる。この二つの操作により、今まで改善が困難であった外反扁平足が抱える二つの課題をを力学的に高度に改善することができるようになる。また、内反足という足部の甲高変形の形態に対しては、第２の部材が外側よりも内側が低い傾斜状態に調整して固定すことで、距骨下関節においてその上下方向が整合される。その状態で第１又は第２の課題解決の手段を実施する。足の長手方向に入力することで、内側と外側の縦アーチの共通軸である距骨下関節部の前後方向の歪みがほぼ整合されると同時に、利用者に苦痛を与えることなく、縦アーチの再生も可能となる。【００２１】  第４の課題解決手段は、前記第１の部材は足が当接する面を土踏まず側が低い傾斜角で調整可能な支持機構を有し、前記第２の部材には踵骨の後面を触知可能な踵部を受け止めて圧力を分散させる部材を設けたことにより足の縦アーチを再生する健康具を構成した。【００２２】  第４の課題解決手段による作用は次の通りである。第４の課題解決手段による作用は次の通りである。利用者の足の位置決めが簡便になり、苦痛なく、しかも効率よく足の縦アーチを再生を実施できる。まず、足の位置決めの簡便性について述べる。踵を第２の部材に降ろし、ついでつま先部を第１の部材に降ろすのであるが、第２の部材が水平になっていることで、初めての利用者でも迷うことなく安心して踵を第２の部材に降ろすことができる。そして、踵を少し後ろに引いて分散部材に押し当てるだけで踵の位置は定まる。あとはつま先を第１の部材に降ろす。操作者は、第１の部材を利用者の足趾に負担のないできるだけ背屈角の大きな傾斜角にて調整固定をする。これで利用者の足の位置決めは完了する。第２の部材の踵の後面が接する部位には踵骨の後面を触知可能な踵部を受け止めて圧力を分散させる部材を設けたことにより、アーチ再生にともなう踵部の苦痛は軽減する。圧力を分散させるとは、直進的に侵入する外力を直進方向だけでなく、その周辺の多方面へ分散、拡散すると同時に、分散、拡散した多方面からの反力が還ってきて、外力を緩衝的に受け止める状態を指す。液体や気体などを封入した緩衝材等にみられる。周辺への影響が大きく、圧力を均等に分散するパスカルの原理がはたらく状態を圧力を分散させると表現する。したがって、踵骨の後面を触知可能な踵部を受け止めて圧力を分散させる部材を設けたことにより、踵骨後面は液体や気体などを封入した緩衝材の圧分分散作用により、面的にやさしく、かつ、しっかりと支持固定される。第１の部材は利用者の足趾に負担のないできるだけ背屈角の大きな傾斜角にて調整固定されており、第１の部���は縦アーチの軸芯の近くに接点を持っているため、移動機構により第２の部材の方向に近接力を受けることで、効率よく縦アーチを再生することができる。このとき、足の甲の高さや荷重の変動は関係ない。【００２３】  第５の課題解決の手段は、前記第１の部材、および第２の部材の少なくとも一方は、当接する足部を受け止めて圧力を分散する機能を有することにより足の縦アーチを再生する健康具を構成している。【００２４】  上記第５の課題解決手段による作用について説明する。圧力を分散する機能を有する部材とは、すなわち、外部からの圧力を受けてへこみながらその応力の進行方向へ逃がしながら押し返すだけではなく、水平横方向や斜め進行方向等へも外部からの圧力を均等に逃がしながら均等に押し返す緩衝作用を「圧力を分散させる」と表現している。これは気体や液体等の流体を封入した緩衝材等の内部で起こるパスカルの原理のような圧力の分散作用である。そのような機能を有する部材を第１の部材、及び第２の部材の少なくとも一方に持たせた。これにより、圧力の分散機能を有する部材に接する足部の圧力は、１点集中型から分散型になるから単位面積当たりの足部が受ける圧力は減少する。つまり、圧力の分散により痛みは軽減するという作用が生じる。それに対して、部材が硬度の違うウレタンの積層構造から成り、上層のウレタンは厚くて柔らかく、中層のそれは中厚で中高度、深層のそれは薄くて硬いと設定上から圧力を受けたこのウレタン部材は、上層では容易にへこみながらその応力を縦方向に逃がしながら軽く受け止める。そして中層ではへこみは軽減して中等度に押し返す。そして、深層ではへこみは少なく、しっかりと受け止め押し返す。このように、縦方向に入力した圧力を、主に縦方向に吸収させて、縦方向に押し返させる緩衝機能は、圧力を吸収する機能と表現され、縦方向に入力した圧力を水平横方向や斜め進行方向等へも圧力を均等に分散させながら、均等の圧力で押し返す圧力を分散させる緩衝機能とは異なる。シート状のラテックスや卓球のラケットに貼るゴム製のラバー等は、縦方向に入力した圧力を主に縦方向に吸収して、縦方向に押し返す。圧力を吸収する機能と表現されるものである。圧力を分散させる機能を有する緩衝部材の方が圧力を吸収する機能を有する緩衝部材より、利用者に苦痛を与えない効果は高い。シート状のラテックスや卓球のラケットに貼るゴム製のラバー等の圧力を吸収する機能を有して、摩擦係数が大きい素材は、斜め方向からの入力圧をしっかりと受け止めて、緩衝しながら押し返すことができる。それに対して流体を封入した袋体の緩衝材は、斜め方向からの入力圧をしっかりと受け止めることはできないから、緩衝しながら押し返すこともできない。流体を封入した袋体の緩衝材は、緩衝材の面に対して鉛直方向からの入力に対して、圧力を分散させる機能を発揮できる。【００２５】  第６の課題解決の手段は、前記第１、第２の部材の間に、前記縦アーチの頂点近傍の足裏部位に当接して足のアーチを再生する方向に押し上げる部材を備えたことで足の縦アーチを再生する健康具を構成した。【００２６】  第６の課題解決手段による作用は、前記縦アーチの頂点近傍の足裏部位に当接して足のアーチを再生する方��に直接押し上げる部材を備えたことにより、強度に扁平化した足のアーチであっても、押し上げる部材の厚さ分だけ物理的に、確実に、縦アーチを押し上げることができる。つまり、縦に連なる骨の列に対して弓状のたわみ曲線を持たせることができる。仮に骨のならびが直線に近い状態、つまり、強度の扁平状態であっても、骨同士が癒合していない限り弓状のアーチ曲線を持たせることができる。このような押し上げる部材によるアーチ再生を方法Ａとする。そして、この状態で第１乃至第５のいずれか１つの手段を実施する。つまり、押し上げる部材により物理的に、確実に、弓状のたわみ曲線を与えられた縦アーチの前端部と後端部に近接力を作用させる。押し上げる部材の助勢を引き継ぎ、第１乃至第３のいずれか１つの手段による縦アーチの頂点近傍の高位は容易に増し、密着していた押し上げる部材と足裏のアーチ頂点近傍との間に隙間が生まれる。この方法をＢとする。このように、アーチの高位を上げる方法はＡとＢの２種類あり、それぞれ長所と短所がある。
方法Ａの長所は、先述したように、強度な扁平であっても、押し上げる部材の物理的は厚さ（高さ）分だけ確実にアーチの高位を直接的に押し上げることができるという点である。ところが、アーチ構造は上からの力には強いが、下からの押し上げ力に対しては、隣り合う構成体同士のつながりが離されて開き、締結力が低下するという構造力学的な弱さがある。事実、土木工学では、昔も今もアーチ式石橋の解体作業の際、かまぼこ状の組み物を弓なりのアーチ下の空間部位に挿入してジャッキで押し上げて、弓状に並ぶ石材と石材の間に隙間をつくる。こうして石材同士の締結しあう力を絶ったところでクレーンで石材をひとつずつ吊り上げて解体するのである。したがって、足のアーチ構造を下から押し上げる部材で押し上げる方法Ａの短所は、アーチを構成する骨と骨のつながりが離開され、その締結力が弱まり、上からの支持力が低下するという点である。方法Ａはある意味で致命的な短所を内包した再生手段であるといえる。方法Ａは、確実なアーチ再生の作用を有する一方、アーチ離開という致命的な副作用も有するのである。したがって、方法Ａは、少なくとも押し上げ部材にサポートされている間はアーチの高位をよい位置に保つことができる。しかし、その最中も、アーチの構成体は離開作用を受け続けているので、押し上げ部材を外した後、アーチは元の扁平状態に戻る、もしくは、離開作用を被り続けたことによりよりさらにアーチの扁平化は亢進され上からの支持力が低下することが見込まれる。したがって、方法Ａの採用には、その良い再生作用を残し、離開作用という副作用を排除する工夫が必要であると出願人は考えた。一方の方法Ｂは、縦アーチの前端部と後端部に近接力を作用させて、アーチの高位を二次的に上げる。その長所は、頂点周辺の骨同士を前後方向から近接させることで、縦アーチを構成する隣り合う骨同士の位置関係は適正化され、骨と骨の間を関節液がアーチ曲線の内周側の隅々まで浸透するようになり、アーチ構造の締結は水力学的に一層強化され、丈夫な縦アーチが再生されるという点である。方法Ｂの短所は、骨のならびが直線に近い状態、つまり、強度の扁平足である場合、その両端部に近接させる力をはたらかせても、弓状のたわみ曲線を造り出すことが力学的に困難なことが多いという点である。このように２つの方法を比べた結果、方法Ａの長所は方法Ｂの短所であり、方法Ｂの長所は方法Ａの短所であることに本願発明者は気がついた。アーチの高位を上げる方法は、方法Ａと方法Ｂの２種類である。そして、アーチの高位を上げる最善の方法は、方法Ａの長所と方法Ｂの長所だけを抽出して課題解決の手段を構成することであると出願者は思量した。本願第６の発明は、こうした方法Ａの長所と方法Ｂの長所だけを抽出し、組み合わせた手段であり、強度に扁平化した足のアーチであっても、利用者に苦痛を与えることなく、アーチの高位を上げることができる。【００２７】  第７の課題解決の手段は、前記押し上げる部材は前記足裏部位に当接して足のアーチを再生する方向に移動可能とする移動機構を備えたことにより足の縦アーチを再生する健康具を構成した。【００２８】  第７の課題解決の手段による作用は、次のとおりである。第６の手段で��る足裏部位に当接して足のアーチを再生する方向に押し上げる部材に移動機構を備えたことにより、強度に扁平化した足の縦アーチに対しても、一度足の位置決めをすれば、目的とする高位まで、小刻みに、複数回、足のアーチを再生する方向に押し上げる操作をすることができるようになった。移動機構を備えた押し上げる部材による縦アーチ再生を先行させ、第１乃至第５の手段のうちいずれか１つの手段による縦アーチ再生を後行させる連携操作で、容易に、かつ、着実に、足のアーチを再生できる。方法Ａと方法Ｂの長所だけを連携させ、しかも、反復実施できるので、強度に扁平化した足の縦アーチに対しても、利用者に苦痛を与えることなく、その再生を遂行できる。無段階の丁寧なアーチ再生操作により、高精度な縦アーチの再生が可能になった。【００２９】  第８の課題解決の手段は、さらには、足根部を内側と外側から挟みこむ機構を備えたことにより足の縦アーチを再生する健康具を構成した。【００３０】  第８の課題解決の作用は次のとおりである。足根部とは、図６（Ｅ）の４６〜５１の骨をさし、内側、外側の縦アーチの後脚を構成する重要な骨群である。また足根部は、扇子の下部にある軸が幾本もの扇の骨が先端部できれいな広がりをなすための要となるように、５本の足趾がきれいな列びをなすための要となる重要な場所である。つまり、足根部は内側、外側の縦アーチの共通軸であり、前脚が整列するための要であるといえる。足根部を内側と外側から挟みこむ機構は、内側の縦アーチの中点および後半のポイントである足根部の歪みを圧力流体等で加圧して整合させるため、足の縦アーチの前端部と後端部を近づける操作は容易になる。つまり、縦アーチの再生効果はさらに向上する。具体的には足根部の踵骨と距骨を横方向のつながりを補正し強化することが可能であり、舟状骨と立方骨の横方向のつながりを補正し強化することも可能であり、第３の課題解決の手段とともに内反足や外反足の矯正にも寄与する。さらには、内側楔状骨、中間楔状骨、外側楔状骨と立方骨の横方向のつながりを補正強化し、横アーチのつながりを補正し強化することも可能である。こうして、内側、外側の縦アーチの共通軸であり、前脚が整列するための要である場所を横方向から挟みこみ、整列させたのち、第１乃至第５の課題解決の手段のいずれか１つの手段を実施する。この手段により足の縦アーチの前端部と後端部を近づける操作は非常に円滑になり、利用者の苦痛はなく、縦アーチの再生効果はさらに向上する。
【発明の効果】
【００３１】  以上の説明から明らかなように、本願発明にあっては次のような効果が得られる。使用者の足の甲の高さや、荷重の変動に関係なく、また、苦痛を与えることなく、扁平化した足の縦アーチを中空の荷重に強いアーチとして再生することができる。このため、直立二足歩行をする人類の足裏に備わる「土踏まず」という文字通り地面に接触しない空間が確保できるようになるので、土踏まずがもたらす足が軽く歩きやすくなる効果や、足の血行がよくなること、足首や膝関節の動きが円滑になるという効果が得られる。【００３２】また、上記本願発明のように、つま先部と踵部がありその両部を結ぶ方向に位置変更可能な先行技術（特開２００７−２１５８２５号公報、特開２０１１−１１５４００号公報）が提案あることを先の出願（特願２０１１−２３９５８２）の審査で指摘された。しかしそれらの発明は、「高齢者等が、履物を脱ぎ履きするときに、前かがみになったり、しゃがんだりすることなく、また、手作業を伴わず、履物に足を出し入れするだけで、簡単かつ安全に脱ぎ履きすることのできる履物の提供（特開２００７−２１５８２５号公報）」、また、「確実かつ容易に着脱でき、サイズを柔軟に調整することができ、かつ、履き替え用靴として携行するのに便利な靴の提供（特開２０１１−１１５４００号公報）」であり、足の縦アーチを中空の荷重に強いアーチとして再生するような思想や記載は一切無い。【００３３】  また、足の指が反り返り状態で接触可能な土手部と足裏載せ部がＶ字条に配された発明（登録実用新案第３０８３５６９号公報）を同審査で示された。この発明の課題は、主に外反母趾やハンマートウの予防と治療であり、本願発明の足の縦アーチ再生とは目的を異にするが、明細書の（００１７）に土踏まずについて次のような記載がある。「土手部（３）の頂部（３２）と足裏載せ部（２）に跨って足裏を載せ、或いは隆起部（４）と足裏載せ部（２）の後縁の突条（２１）とに跨って足裏を載せることにより、土踏まずを浮かせて引っ張る様な刺激を与えることが出来、扁平足の予防と治療に効果を得ることができる。」つまり、足の前方部分と足の後方部分を接点として士踏まず部分が非接地の状態であることまでは同じであるが、そののち、足のアーチを逆反りして引っ張るような刺激を与えることが扁平足の予防と治療になると説明している。つまり、アーチの扁平化を促進するような刺激を与えることが扁平足の治療になるとしている点で、足の前方部分と足の後方部分を近づけて扁平足の再生、つまり、治療をはかる本願発明の思想とは正反対といえる。したがって、つま先部と踵部があり、その両部を結ぶ方向に位置変更可能な仕組みを備えた先行発明（特開２００７−２１５８２５号公報、特開２０１１−１１５４００号公報）と、足の指が反り返り状態で接触可能な土手部と足裏載せ部がＶ字条に配された発明（登録実用新案第３０８３５６９号公報）を組み合わせは、本願発明の思想とは実質的にまったく異なるものであり、使用者の足の甲の高さや、荷重の変動に関係なく、扁平化した足の縦アーチを中空の荷重に強いアーチとして再生する作用効果は、本願発明に遠く及ぶものではない。
【図面の簡単な説明】
【００３４】
【図１】  ヒトの足形と骨格、土踏まずと足のアーチの正常と異常を示す図
【図２】  本発明の原理、および作用効果の側面図
【図３】  本発明の実施例１の側面図、上面図および、実施例２の側面図
【図４】  実施例２の変形の図
【図５】  実施例４の上面図、側面図、実施例６及び７の図
【図６】  実施例３および実施例８の図
【図７】  特許文献１および２の図
【発明を実施するための形態】
【００３５】  以下、本発明の実施の形態を図２に基づいて第１の実施例を説明する。「土踏まず側が低い傾斜」とは、すなわち、第１の部材と第２の部材は、足を長手方向に前部分と後部分の２つに分割したものなので、いずれの部材においても土踏まず側は、その中央側となる。したがって、第１の部材の土踏まず側とは、第１の部材の後端部側であり、第２の部材の土踏まず側とは、第２の部材の前端側である。そして、第１の部材が土踏まず側が低い傾斜に設定されるということは、第１の部材の後端部側が低位で、前端部側が高位の傾斜になることをさす。同じく、
第２の部材が土踏まず側が低い傾斜に設定されるということは、第２の部材の前端部側が低位で、後端部側が高位の傾斜になることをさす。また、「設定してある」とは、第１の部材１はその下にある別体の部材、第１の支持材１ａにより支持されて一定の傾斜角で変動しない、固定してあるということでもよいし、第１の部材１そのものが第１の支持材１ａを含む形態に一体成型されていて一定の傾斜角で変動しないということでもよい。第１の部材１、および第２の部材２は、当接する第１〜第５中足骨の接点や踵骨を触知可能な踵部の接点と十分な摩擦が生じるようなラテックスやゴム等の素材でもよい。その他、支持性のある素材であれば木、金属、樹脂、等何でもよい。第１の部材１と第１の支持部材１ａは一体形成された不分離のものでもよいし、第１の部材１は、ラテックスやゴムで、第１の支持部材１ａはゴムや木、金属などの分離可能な別体でも第１の部材１を一定の傾斜角に固定できるものであればよい。第２の部材２、第２の支持部材２ａも同様である。また、第１の部材１や第２の部材２は、木や樹脂などにして、その表面に防滑性と圧力の吸収性があるシート状のラテックスや卓球のラケットに貼るゴム製のラバー等を貼り付けることもよい。足裏の接点と十分な摩擦が生じてアーチを再生しやすい。経年劣化で防滑性や圧力吸収性が低下すれば、簡単に張り替えることもできる。圧力の吸収性と圧力の分散性はいずれも圧力を緩衝する点では同じであるが、緩衝する状態が異なる。圧力の「吸収性」とは、直進的に侵入する外力に対して反力を返しながら、外力を緩衝的に受け止める状態を指す。ベクトルで言えば、主に同一線上の作用・反作用という反対方向の力のやり取りである。シート状のラテックスやゴム等にみられる性質で、周辺にはあまり分散したり影響を与えたりしない。それに対して「分散性」とは、直進的に侵入する外力が直進方向だけでなく、その周辺の多方面へ分散、拡散すると同時に、分散、拡散した多方面からの反力が還ってきて、外力を緩衝的に受け止める状態を指す。液体や気体などを封入した緩衝材等にみられる性質で周辺への影響が大きく、圧力を均等に分散するパスカルの原理がはたらく。
【００３６】  図３（Ａ）はその側面像、図３（Ｂ）はその上面図である。図３（Ａ）においては、第１の部材１は第１中足骨４１を触知可能な足裏部位が当接する可動部材で、第１中足骨４１の頭部４１ｂを触知可能な足裏部位が内側の縦アーチの前脚端部として主に当接している。第２の部材２は踵骨５１を触知可能な踵部が当接する固定部材であり、第１の部材１と第２の部材２はともに土踏まず側が低い傾斜をつけて組み立ててある。第１の部材１と第２の部材２を移動可能にする移動機構３は、ボール盤バイス等を採用しても良い。ボール盤バイスの可動金口３ａは第１の部材１と連結してある。第２の部材２と移動機構３は基盤４の上にあって動かないように固定してある。ハンドルバー３ｂを回転させるにより、第１の部材１は第２の部材２と相対的に近接、隔離が自在にできる。これにより、内側の縦アーチを再生することができる。
【００３７】  図３（Ａ）のように、第１の部材１と第２の部材２がともに土踏まず側が低い３０度程の傾斜をもつ当健康具に足をのせると、第１中足骨４１と第１基節骨５３の関節部で足の指が足の甲側に背屈するかたちになる。水平の床に立った場合は第１中足骨の頭部の真下の脂肪層が厚い部分４１ａであるが、第１の部材と第１中足骨４１を触知可能な足裏部位の接点は、脂肪組織が薄い第１中足骨４１の頭部軸芯近傍４１ｂに変わる。第２〜第５中足骨頭部の接点も同様に、真下の脂肪層が厚い部分ａから頭部軸芯近傍ｂに変わる。僅かな接触角度の変化のように見えるが、これは大きな違いをうむ。踵骨を触知可能な踵部の接点も同様に、水平の床に立った場合は脂肪層の厚い真下５１ａであるが、傾斜のある第２の部材に乗ると接点は、脂肪組織が薄い踵骨を触知可能な踵部の後下方５１ｂになる。この状態で第１の部材１と第２の部材２を近接させると、前も後ろも柔らかい組織の剪断力が軽減するので、利用者の苦痛等は軽減する。さらに、図２（Ａ）の拡大図や力の合成図が示すように、傾斜を持つ第１の部材１と第２の部材２からの抗力ｆ１として縦アーチの両端部の接点４１ｂを触知可能な足裏部位、５１ｂを触知可能な踵位には、縦のアーチの頂点近傍へ向かう上向性のベクトルｆ３と、両接点が近接しあう求心性のベクトルｆ２が同時発生するので、内側と外側の縦アーチの再生は容易になる。つまり、足が接する部材に土踏まず側が低い傾斜をもたせることで利用者の苦痛等は減り、内側と外側の縦アーチの再生は効率的になる。このとき、足の甲の高さや荷重の変動は関係ない。
【００３８】  本発明の使用法について述べる。使用者は、アーチが扁平化している患足を第１の部材と第２の部材にのせる。もう一方の足は、患足とほぼ同じ高さの台にのせ、立ってもらい足に荷重がかかる状態で操作する。操作者は、移動機構３のハンドルバー３ｂを回して、第１の部材を第２の部材に近づける。移動機構３があることで操作者も利用者も安心して目的を達成することができる。それは、操作者は、足の縦アーチの前端部と後端部を近接させる操作をハンドルバー３ｂでするのであるが、アーチが再生されている過程を目や手で客観的に、しかも冷静にリアルタイムで確認しながら操作を加減できるからである。移動機構３のハンドルバー３ｂを回す量は、まず、使用者が痛くない範囲で行うということが最優先である。次は、第１の部材と第２の部材は少し近づくだけでもアーチを構成する関節の関節液は相応に浸透するので、縦アーチが再生されている様子はアーチ外周のせり上がりからその作用を見て取ることができる。アーチ外周のせり上がりが確認できたら、その場で膝と足首の屈伸を１０回ほど行ってもらう。屈伸運動により足根間関節のつながりをさらになじませ、関節液を浸透をはかることができる。屈伸ができたら、ハンドルバーを少しだけ逆方向に回して第１、第２の部材を少しだけ隔離する。そして、本健康具から降りてもらい、その場で足踏みや屈伸をしたり、周辺を歩いてもらい、足の変化とその効果を確認してもらう。
【００３９】  本健康具にのる前に、患足に特許登録第４３７４４２４号の帯状部１０を装着してもらい、横アーチを補強再生した状態で本健康具による縦アーチ再生の操作をうけると、足の３つのアーチを一括して安定的に維持再生することができるのでさらによい。
【００４０】  図２（Ｂ）および図２（Ｃ）をもとに、扁平化したアーチの骨組みが本発明によりどこがどのように変化するのかを注目していただきたいので、図から第１基節骨５３、末節骨５４、および移動機構３は省略した。第二中足骨から第五中足骨、および各基節骨から末節骨も以下の説明と同様の変化が起こるので図から省略した。図２（Ｂ）は、扁平化した内側の縦アーチの図である。第１の部材１が第１中足骨４１の頭部軸芯近傍４１ｂを触知可能な足裏部に当接し、踵骨の後下方５１ｂを触知可能な踵部が第２の部材２に当接している。この時、縦アーチの内周側の骨と骨の間には隙間ａ〜ｄがある。
【００４１】  図２（Ｃ）は移動機構３により両部材が近接したときの図である。移動機構３により両部材が近接すると、４１ｂを触知可能な足裏部位と５１ｂを触知可能な踵部の距離は短くなるともに、縦アーチの内周側の骨と骨の間にあった隙間Ａ’〜ｄ’は、操作前の（Ｂ）の隙間ａ〜ｄより狭小化され、内側の縦アーチの頂点近傍にある距骨５２や舟状骨４９の高位は上昇する。こうして縦アーチは再生するのである。つまり、足の縦アーチの前と後の最端部に苦痛を与えない工夫を施したり、扁平化した縦アーチの頂点近傍をより効率よく上昇させることができるアーチ両端部の接点を個別に設定できることが本願発明の要である。
【００４２】  第２の実施例を図３（Ｃ）をもとに説明する。まず、傾斜角を調整可能な支持機構とは、すなわち、上記第１の手段において第１の部材１を下で支える第１の支持部材１ａに相当する部材である。実施例２では、第１の部材１を下で支えて、利用者の足にとって無理ない、かつ、効果的な傾斜角に調整可能な支持部材である。第１の部材１に可動性と支持性を与える支持部材を第１の傾斜角を調整可能な支持機構１００と称し、第２の部材２に可動性と支持性を与える支持部材を第２の傾斜角を調整可能な支持機構１０２と称する。本図は第１の部材１第２の部材２をともに土踏まず側が低い状態にする第１、第２の傾斜角を調整可能な支持機構１００、１０２を有する実施例である。第１の部材１の土踏まず側の裏側の端部は、第１のヒンジ１１とネジで連結されており、第１のヒンジ１１の他端は第１の土台１２の土踏まず側の端部上面でネジ止めしてあるとともに、第１の土台１２は移動機構３の可動金口３ａと連結してある。また、第１の部材１の裏面の中間点よりもつま先側に支柱用ヒンジ１４を取り付け、同ヒンジの他端に支柱１３を取り付ける。第１の土台１２の上面には角度固定用の歯止め１５ａ〜１５ｄ等を適度な間隔で取り付ける。これで第１の部材１は土踏まず側が低い任意の傾斜角で固定可能となる。なお、第１の土台１２の裏面の四隅に小型の一軸キャスター等を付け基盤４の上を長手方向に滑らかに移動できるようにしたり、第１の土台１２の裏面に摩擦係数の小さな滑性のある樹脂やフエルト等を貼り移動機構３の本体３ｃ、３ｄの上面を長手方向に滑らかに移動できるように工夫すると良い。第２の部材２の傾斜角を調整可能な支持機構１０２も同様の仕様で実施することもできる。
【００４３】  使用者のさまざまな健康度による肢位や動作の制限に適応させることができるということについて説明する。足腰や膝等に多少痛みはあるが、自力で立ったり、歩いたりできる方は、第１、第２の部材ともに傾斜を持たせた図３（Ｃ）の形態。▲２▼イスには座れるが自歩できない車いすの方は、第１の部材のみに傾斜を持たせた図４（Ａ）の形態。▲３▼四つんばい移動でなんとか用を足せる方は、第２の部材のみに傾斜を持たせた図４（Ｂ）の形態。▲４▼足腰がきわめて不自由で寝たきりの方は、第１の部材に傾斜を持たせた図４（Ａ）の形態の健康具で対応可能である。まず、図３（Ｃ）は、第１、第２の部材共に土踏まず側が低い傾斜を設けてある。外見上、２つの部材で谷型を形成することになる。この実施形態では、使用者は立位、もしくはイスに座た姿勢で受けることができるので、比較的健常な人向きの健康具である。使用者は足の甲部に特許登録第４３７４４２４号の帯状部１０を装着してもらい、横アーチを補強再生した状態で本健康具による縦アーチ再生の操作をうけると、足の３つのアーチを一括して安定的に維持再生することができるのでさらによい。傾斜角の調整は、なだらかな傾斜よりもできるだけ利用者の足趾にとって無理のない急な傾斜で設定した方が、第１、あるいは第２の部材と足の縦アーチの芯軸が近くなるので、力学的に足の縦アーチを再生しやすくなってよい。移行の操作方や注意事項等は実施例１と同様である。この操作により、足部の縦アーチを構成する骨と骨の整合性が高まると、足の縦アーチが再生され、足部の骨に付着点を持つふくらはぎ等の下腿の筋群も次第に本来の柔軟性を取り戻すことができる。なお、この特許登録第４３７４４２４号の帯状部１０を装着してもらうことは、以下のすべての実施例も同様であるから、以降この記載は省略することとする。図４（Ａ）は、つま先部が乗る第１の部材１を土踏まず側が低い傾斜角で調整可能な支持機構１００を備えた図である。そして第２の部材２は水平の状態である。この形態では、利用者はイスに座した姿勢で受けることができる。立位は困難だが、イスには座れるという方によい。ちょうど、自動車の運転席に座り、傾斜のあるアクセルやブレーキペダルを踏む形態になる。利用者は、まず、踵を水平な第２の部材２に乗せ、足の前方部分を第１の部材１に乗せる。そして、操作者は、使用者の足ゆびの可動域の中でも、もっとも背屈出来る角度で第１の部材１を固定すると縦アーチ再生にとって効果的である。その手順は、第１の部材１の適切な傾斜角４１ａの中から探し、支柱１３の遠位端を角度固定用の歯止め１５ａ〜１５ｄのいずれかに納めて第１の部材１を土踏まず側が低い傾斜角で調整可能な支持機構１００にて支持固定をする。そして、使用者は第１の部材１をアクセルペダルを踏む力４２ａにてやさしく押してもらう。その状態で操作者は、移動機構３のハンドルバー３ｂを回して足の前方部分が乗る第１の部材１を、踵が乗る第２の部材２に近づくように移動４３ａさせる。これにより、足の縦アーチの前後間隔は狭められるので、足の縦アーチが再生されることになる。図４（Ｂ）は、第１の部材１は水平にしてあり、踵が乗る第２の部材２を土踏まず側が低い傾斜角で調���可能な支持機構１０２にて支持固定して使用する形態である。この形態は立つことも、座ることも困難な方で四つんばい姿勢ならば可能であるという方はこの実施形態で足のアーチ再生をはかることができる。この形態は、陸上トラック競技に使用されるスターティングブロックに足をかけて四つんばいの姿勢、クラウチングスタートの姿勢に似ていてつま先部分への荷重が大きくなる。操作者は、使用者の踵が第２の部材２の接しやすい傾斜角を、部材２の可動方向４１ｂの中から探して調整可能な支持機構１０２を固定する。そして、利用者に少し踵を踏み込む力４２ｂを入れてもらう。そして、移動機構３により第２の部材２をつま先部とと近接させる４３ｂ。こうして、足の縦アーチが再生される。図４（Ａ）の形態は、足腰がきわめて不自由で寝たきりの方にも使用できる。仰臥位で膝を曲げてもらい、第２の部材に踵を乗せ、第１の部材につま先部を乗せる。操作者は適切な第１の部材の傾斜角を可動方向４１ａの中から探し出して調整可能な支持機構１００を設定する。そうして、利用者に足を踏むように力４２ａを入れてもらうとよいのだが、力が入らない場合は操作者が利用者のすねを持ち、足を踏むような力４２ａを介助的に入れる。そして、移動機構３のハンドルバー３ｂを回して足の前方部分が乗る第１の部材１を、踵が乗る第２の部材２に近づくように移動４３ａさせる。これにより、足の縦アーチが再生されることになる。足に様々な病的な形態や機能異常を有する利用者にとって、各人にふさわしい肢位で、苦痛が少なく、かつ、効率よく足の縦アーチを再生する操作を受けられることは自立歩行への復帰の起点となる。
【００４４】  足の健康具を後方から見た図６（Ｄ）をもとに固定可能な調整機構９０を説明をする。第２の土台２２の裏面に前後方向の正中軸９１を設定するために、第２の土台２２の裏面に第２の土台側の軸受９２を取り付ける。そして、基盤４側にも前後方向の正中軸９１を機能させるためにために基盤側の軸受９３を取り付ける。前後方向の正中軸９１は直径１０ミリほどの鋼材でもよい。前後方向の正中軸９１を中心に、第２の土台２２及び、第２の土台に載る第２の部材２は破線の矢印の方向に、シーソーのように右傾、水平、左傾いずれの状態も取ることができる。第２の部材の傾斜状態を固定するために次のような簡単な固定部を備えるとよい。第２の土台２２の内側部分にメネジ９２ｉ埋設する。メネジ９２ｉにオネジ９５ｉをねじ込む。オネジ９５ｉの先端９６ｉが基盤４を傷つけないように金属プレート９７ｉで受け止める。オネジ９５ｉの長さは邪魔にならない程度長い方がよい。そして、オネジ９５ｉの頭部もの邪魔にならない程度大きい方が、オネジの回旋、つまり、ネジ先９６ｉの出し、戻しが容易になるのでよい。第２の土台２２の外側部分にも同様に、メネジ９４ｏ、オネジ９５ｏ、金属プレート９７ｏを取り付ける。使用方法は、次のとおりである。まず、第２の部材２が水平で左右に振れない安定状態であることを確認する。それは、オネジ９５ｉ、９５ｏのネジ先９６ｉ、９６ｏが金属プレート９７ｉ、９７ｏに密着していることを確認する。第２の部材２の後端部に水平器を取り付けて目視確認するとさらによい。そして、右足が外反扁平足の場合は、右足の踵がのる第２の部材２の外側を内側よりも低くしたいので、低くしたい側、つまり右足の外側のネジ先９７ｏを引き戻すようにオネジ９５ｏの頭をゆっくりと回旋する。すると、第２の部材２の外側が低くなり、利用者の足部の外反足が少し軽減し始めたら、内側のオネジ９５ｉの頭を回旋して先ネジ先９７ｉを出して金属プレート９６ｉに密着するようにして第２の部材２の安定を図る。操作者が足部の状況を見て、もう少し第２の部材２の外側を低くしたい場合、また、利用者がまだ傾斜を増しても大丈夫ということであれば、先の操作を繰り返すことで用者の足部の外反足はさらに軽減する。程良いところでオネジ９５ｉ、９５ｏを金属プレート９６ｉ、９６ｏに密着させて、第２の部材の安定を図る。そして、第１又は第２の課題解決の手段を実施する。この二つの操作により、今まで改善が困難であった外反扁平足を、利用者に苦痛を与えることなく、力学的に高度に改善することができるようになった。図６（Ｃ）および（４）は右足の内反足を示す。この場合、第２の部材２の傾斜状態や操作は上記使用方法とは反対になる。
【００４５】  第４の実施例を図５（Ａ）（Ｂ）をもとに説明する。実施例４の特徴は、足の位置決めが簡便であり、利用者の苦痛が少なく、足の縦アーチ再生が効率よく行えるという点にある。第１の部材１は、第１の実施例で述べたように、当接する第１〜第５中足骨の接点と十分な摩擦が生じるようなラテックスやゴム等の素材でもよい。その他、木、金属、樹脂、等でもよい。あるいは木や樹脂などにして、その表面に防滑性と圧力を吸収する性質があるシート状のラテックスや卓球のラケットに貼るゴム製のラバー等を貼り付けることもよい。圧力の吸収性とは、外圧を直進性に受け止める緩衝作用のことである。外力を直進以外にも側方性等の周辺多方向に圧力を分散、拡散する性質の緩衝作用とは作用効果や素材が異なる。シート状のラテックスやゴム製のラバー等は圧力を加えた足裏の接点と十分な摩擦が生じるためアーチを再生しやすい。経年劣化で防滑性や圧力吸収性が低下すれば、簡単に張り替えることもできる。また、第１の部材１は、実施例２で説明した土踏まず側が低い傾斜角を調整可能な支持機構１００を備えている。そのため、足の縦アーチの前端部ではアーチ曲線の軸芯近傍を捉えていることになり、アーチ再生の際、効率よく足の縦アーチを再生できる。そして、第２の部材２は、踵の後面を受け止めて圧力を分散させる部材５ｂとして受け止め部材５と緩衝材５ｂを備えている。踵骨の後面を触知可能な踵部を受け止めて圧力を分散させる部材５ｂは、図５（Ｂ）の上面図でわかるように、踵骨の後面、内側面および外側面も受け止めるように円弧状の受け止め部材５がある。円弧状の受け止め部材５は、バルサ材等で形成すると形成しやすくてよい。そしてその内面に圧力を分散させる部材５ｂとして緩衝材５ｂを貼り付けるとよい。受け止め部材５と緩衝材５ｂを備えたことにより、利用者の苦痛は大幅に減少すると同時に踵骨はやさしく、かつ、しっかりと支持固定される。利用者は、まず、第２の部材に備えたＵ字型の緩衝材５ｂに踵を当てておさめる。そして、爪先部分を第１の部材１にそのまま乗せることで、足の位置は決まる。あとは操作者が第１の部材１を使用者の足に無理が及ばない任意の傾斜角４１の中で固定し、移動機能３のハンドルバー３ｂを回して第１の部材１を第２の部材２の方向４３に近づけることで踵骨はその後面、内面、外面が流体の入った緩衝材に包まれて安定する。移動機構３によってさらに第１の部材１が近づくと、踵骨にかかる水圧はパスカルの原理によって分散して減少する。つまり、利用者の苦痛は大幅に減少する。こうして足の縦アーチの最前端と最後端が安定して近接するため、縦アーチ再生精度は増す。緩衝材５ｂは、塩化ビニルの袋体に高分子吸水体ポリマーを封入したおよそ５ｃｍ×１９〜２０ｃｍの流体入りの袋体でもよい。緩衝材５ｂに封入する流体の分量は、Ｕ字型の切り込みの中に据えて少し柔軟に曲がるくらいの量でよい。
【００４６】  第５の実施例の説明をする。たとえば、図３（Ａ）の第１の部材１の中足骨頭部が当接するあたりを凹型にくりぬき、そこに流体を封入した袋体の緩衝材を納めて、中足骨頭部が緩衝材の面に対して鉛直方向からの入力するように第１の部材１の傾斜角を調整すると圧力を分散させる機能を発揮できるので、利用者の足に苦痛を与えることはなくなる。あるいは、図４（Ｂ）の四つんばいの肢位では、つま先側、つまり中足骨頭部側に圧倒的に大きな荷重や単位面積あたりの圧力がかかる。そのため、とくに足趾がリウマチや変形性関節症等を罹患して複数の足のゆびの関節で疼痛や変形等を発症している場合、第１〜第５中足骨の頭部にかかる圧力を分散する機能を第１の部材に持たせて、足のゆびを保護して痛みができるだけ生じない状態で近づけ操作を実施できることが望まれる。図４（Ｂ）の第１の部材１を足部を受け止めて圧力を分散する機能を有するものにすることで、第１の部材１と中足骨の頭部に生じる圧力は、１点集中型から分散型になるから、利用者に苦痛を与えずにすむ。それにより安全に十分な近づけ操作が可能になるから、より完成度の高い縦アーチを再生することができる。このとき、足の甲の高さや荷重の変動は関係ない。このように、第１の部材１、第２の部材２の、足部が接するあたりを凹型にくりぬき、そこに圧力を分散する機能を備えた素材を納めてもよい。また、第１の部材１には、シート状のラテックスや卓球のラケットに貼るゴム製のラバー等をその表面に貼ることもよい。その他、すべての実施例で、図５（Ａ）（Ｂ）に示す第２の部材に踵骨の後面を受け止める部材５を設け、流体を封入した袋体の緩衝材５ｂを受け止める部材の内面に貼ることもよい。この形態は、踵骨部に苦痛を与えることはないので、完成度の高い縦アーチを再生することに大いに寄与する。
【００４７】  第６の実施例は、図５（ｃ−１）をもとに、押し上げる部材５０の変形例を述べる。押し上げる部材５０は、押し上げる部材の土台部分５１は四角柱でもよいし円柱でも良い。円柱である場合はその直径５１φ、土台部分５１の高さ５１ｈ、土台部分５１にのる半球５２、その直径５２φ、半球の上に貼り付け固定した緩衝材５３からなる。押し上げる部材５０は、利用者の足の扁平度や足の大きさなどを想定して、押し上げる高さ５１ｈや足裏に当接する半球の直径など何種類か用意する必要がある。足の大きさに応じて半球５２の直径５２φは変える必要がある。半球５２の直径５２φは、大まかに、子供の場合２０ミリ程度。通常の足の大きさの大人用に３０ミリ、足が大きな大人用に４０ミリの３種ほど用意するとよい。また、土台部分５１の高さ５１ｈは、同一利用者の足であっても、方法Ａを実施するときの第１の部材１と第２の部材２の間の距離や傾斜角の差異により基盤４からの足裏の位置が変化するので、第１の部材や第２の部材の支持部材の高さに応じて基準となる適切な高さの土台部分を１つつくり、それよりも５ミリ高い土台部分、１０ミリ高い土台部分、１５ミリ高い土台部分、２０ミリ高い土台部分、２５ミリ高い土台部分と６本ほど用意しても良い。しかし、それでは足の健康具の周辺が雑然とすると思えば、基準となる土台部分５１の上面に鉄、ニッケル、コバルト等の磁石がくっつく金属５４ｃを固定する。そして、別途３ミリ高の円柱５４ａを用意して円柱ユニット５５をつくる。円柱５４ａの底面にカット加工が容易な１ミリ厚のゴム磁石５４ｂを適当な形に切って貼り付け、その上面に１ミリ厚の磁石がくっつく素材５４ｃを固定する。そして、半球５２の断面にもゴム磁石５４ｂを貼り付ける。こうして、基準となる土台部分５１と、４乃至５個の着脱可能な５ミリ厚の円柱ユニット５４と、緩衝材５３を貼り付けた半球５２を用意する。基準となる土台部分の高さ５１ｈと、緩衝材５３を貼り付けた半球５２高さをあわせた距離を「基本高位」とすれば、その間にはさむ円柱ユニット５４ａの個数によって押し上げる部材５０の全高は定まる。円柱ユニット５４ａを１個挟めば、「基本高位」＋５ミリの高さの押し上げ部材。円柱ユニット５４ａを２個挟めば、「基本高位」＋１０ミリの高さの押し上げ部材。円柱ユニット５４ａを３個挟めば、「基本高位」＋１５ミリの高さの押し上げ部材。円柱ユニット５４ａを４個挟めば、「基本高位」＋２０ミリの高さの押し上げ部材。円柱ユニット５４ａを５個挟めば、「基本高位」＋２５ミリの高さの押し上げ部材となり、５段階の高さの押し上げる部材５０を用意したことになる。また、半球の直径５２φが異なるものを３種用意して、基準となる土台部分５１と円柱ユニット５４を共用すると、３タイプのすべての足のサイズの利用者に使用可能な５段階分の押し上げる部材５０を用意したことになる。こうすることで足の健康具の周辺は随分と整頓でき、操作作業も円滑になると思われる。
【００４８】  実際の操作作業は、次のようにするとよい。使用者は第２の部材に踵をのせ、第１の部材につま先部分を降ろす。その状態で操作者は、物差し等を用いて基盤４から使用者の足裏の縦アーチの頂点近傍までの高さを測る。その高さを若干上回るように、円柱ユニット５４の必要個数を計算する。そして、基準となる土台部分５４と、緩衝材５３を貼り付けた半球５２の間に必要個数の円柱ユニット５４挟み、磁石の力で一体化させた押し上げる部材５０を構成する。利用者に踵部を少し浮かしてもらい、押し上げる部材５０を基盤４の上の最適な場所に配置する。最適な場所とは、半球の上に貼り付け固定した緩衝材５３が、利用者の足裏の縦アーチの頂点近傍に当接する場所である。其の場所が決まったら、利用者に踵を降ろしてもらい、半球の上に貼り付け固定した緩衝材５３が、利用者の足裏の縦アーチの頂点近傍に当接して縦アーチを再生する方向に一定以上押し上げていれば、方法Ｂを実施する。一定以上とは、数量では決められないが、押し上げる部材５０でアーチを１００％再生する必要はない。２０％〜５０％程度再生できれば、後行する方法Ｂがアーチ高位をさらに上げるのでそれでよしとするとよい。もし、方法Ａの縦アーチ再生の度合いが不十分のようであれば、円柱ユニット５４ａを１つ、あるいは２つ追加して足の縦アーチを再生度合いが増すことを確認する。それで十分な再生が確認できれば、方法Ｂを実施する。方法Ｂのやり方は第１の手段の実施例に記したとおりであるのでここでは省略する。このような押し上げる部材５０を用いた方法Ａと、第１の部材１と第２の部材２を移動機構３による方法Ｂを一組とする１回の連携操作により、強度に扁平化した足のアーチであっても、利用者に苦痛を与えることなく、アーチの高位を上げることができる。これで不十分なようであれば、利用者に踵をあげてもらい、円柱ユニット５４ａを１〜２つ追加して、再度、方法Ａと方法Ｂの一組の連携操作を実施して足の縦アーチを再生するとよい。なお、操作上、もっとも注意すべき点は、前述したとおりアーチ構造は突き上げ過ぎると破綻するので、方法Ａは控えめにする方がよい。
【００４９】  第７の実施例を説明する。昇降機構６０は、土台４の上を適位置に移動できるベース６１と、ベース６１と一体になって内圧を溜めることができるシリンダー６２と、シリンダー６２に収まり昇降可能なピストン６３が基本となっている。ピストン６３のヘッド部６４に、足裏の形態の個人差を緩衝するための流体入りのパッド６５を接着している。この昇降機構６０の使い方を説明する。まず、第２の部材２に踵をおろし、第１の部材につま先部を降ろし、任意の勾配角を機構１００で設定した後、昇降機構６０を足裏の適位置に定める。そして、ポンプ６６等でシリンダー６２内の内圧を高める。すると、ピストン６３が伸び上がり６８、足裏部を押し上げ始める。足の荷重は昇降機構６０にかかり、縦アーチの頂点近傍部を少しだけ下から上に押しあげることになる。これは靴の中敷きなどの土踏まずが当接する部分に凸型のパッドが付いていて、縦アーチの頂点近傍部をパットで物理的にダイレクトに押し上げてアーチの扁平化を解消しようとする従来の足底板療法の方式である。この方式であればたしかに強度の扁平化も乗っているときは解消する。しかし、降りると元の木阿弥、もしくは、使用期間が長い足ほどアーチを形成する隣接する骨同士の締結が弱くなり、実質的に扁平化が強まってしまうという症例は多数ある。これは、足底板療法の欠点である。それに対して本願発明の構成は、足の縦アーチの両端部を近接させることで、二次的に縦アーチの頂点近傍部を上昇させる方式である。本願発明の欠点は強度の扁平化は改善できないということであり、本願発明の強みは力学的にアーチを形成する隣接する骨同士の締結が強化されることにある。したがって、強度の扁平化した足の縦アーチを再生するのに最適な方法は、本願発明と足底板療法を組み合わせることである。図５（Ｃ）は本願用に考案した昇降機構６０である。図５（Ｄ）は、本願発明に昇降機構６０を搭載した実施例である。昇降機構６０のポンプ６６を操作してノズル６７を閉め、アーチの頂点近傍を少しだけダイレクトに押し上げた後、本願の第１の部材と第２の部材を移動機構で近接させることにより、アーチを形成する隣接する骨同士の締結が強化しながら二次的にアーチの頂点近傍を上昇させる。すると、アーチの頂点近傍と昇降機構６０のトップに乗せてある流体入りのパッド６５の間に隙間ができる。そのとき、利用者から苦痛等は全くないというコメントがあり、操作者はまだ縦アーチの高位を上げられる、あるいは、縦アーチの高位を上げた方がよいと判断すれば、再度、昇降機構付のユニット６０で少しだけ稼働して、縦アーチの高位をダイレクトに押し上げ、再度、本願の移動機構を稼働してアーチを形成する。隣接する骨同士の締結を強化させながら二次的にアーチの頂点近傍を上昇させる。こうした使用者と操作者間で足の状態について対話をしながら、昇降機構６０による方法Ａと方法Ｂを小刻みに反復稼働することで、高精度の足の縦アーチの再生が可能になる。こうした実施を通して、強度に扁平化した足の縦アーチを再生することもできる。本実施の形態の移動機構６０は、気圧ポンプ式であるが、油圧ポンプ式でもよい。その他、歯車式、ネジ式、モーター式などでもよい。操作上、もっと���注意すべき点は、アーチ構造は突き上げ過ぎたりすると破綻するので、控えめに、小刻みにする方がよいということである。
【００５０】  図６（Ｅ）をもとに、足根部を内側と外側から挟みこむ機構８０の構成を説明する。挟みこむ機構８０は、たとえば、ＢＥＳＳＥＹ社のユニクランプ、ＵＫ１６を元に製作することもできる。
ＵＫ１６は、その挟み込む面８０ａ、８０ｂがともに平面であり、平行に対向し、平行に挟み込む構成からなる水平クランプである。その挟み込む面８０ａ、８０ｂには、その面よりも大きな袋体固定面８０ｃ、８０ｄを取り付る。袋体固定面８０ｃ、８０ｄは３〜５ミリ厚の軽量アルミやベニア材でもよい。形状やサイズは、何種類か用意すると良い。足根部の踵骨５１と距骨５２を挟みこたいのであれば、それに相応しい形状やサイズを用意すると良い。また、足根部の踵骨５１と距骨５２に加えて舟状骨４９と立方骨５０を挟みこみたいのであれば、それに相応しい形状やサイズを用意すると良い。さらには、足根部の踵骨５１と距骨５２から内側楔状骨４６、中間楔状骨４７、外側楔状骨４８と立方骨５０を挟みこみたいのであれば、それに相応しい形状やサイズを用意すると良い。その袋体固定面８０ｃ、８０ｄの内面側に流体の入った袋体８１ａ、８１ｂを接着固定する。軸ハンドル８３は、握り右に回すと挟み込む面８０ｂはレール８４に固定された挟み込む面８０ａに近づくように移動する。軸ハンドル８３を握り左に回すと、挟み込む面８０ｂはレール８４をベースに挟み込む面８０ａから離れるように移動する。袋体８１ａ、８１ｂは塩化ビニル等でもポリエチレン製でも良い。その中に封入するものは、水でも粘性のある液体でもよい。袋体８１ａ、８１ｂの共に内側面は、利用者の肌や靴下等に当接するので、袋体８１ａ、８１ｂの共に内側面にはフエルトなどの摩擦が小さい素材８２を粘着してあると縦アーチ再生の際に横方向の圧力が邪魔にならず、アーチ再生に寄与する作用になるので良い。以上が挟みこむ機構８０の構成である。実施操作は、利用者に踵を第２の部材に降ろしてもらい、次いでつま先部分を第１の部材１に降ろしてもらう。そして、操作者は、挟みこむ機構８０の袋体８１ａ、８１ｂを利用者の足根部の弱点となっていそうな部位、たとえば、距骨と踵骨に当接するように設置する。設置の方法は、近接レール８４が第２の部材２の下にあっても良いし、近接レール８４が第２の部材２の後方にあってもよい。また、近接レール８４が足の甲部の上を横切る形でも良い。そうして、軸ハンドル８３を握り回して距骨と踵骨などを挟み込む面８０ａ、８０ｂで近接させ袋体８１ａ、８１ｂで加圧することにより、矯正して強化したい骨部分、足根部の踵骨５１と距骨５２、また、舟状骨４９と立方骨５０、さらには、内側楔状骨４６、中間楔状骨４７、外側楔状骨４８と立方骨５０の横方向のつながりを矯正強化する。距骨５２と踵骨５１が接合する関節部（距骨下関節）の横方向への歪みは、図６（Ｃ）内反足、もしくは（Ｂ）外反足として非常に高度な扁平足と関連したり、足根洞症候群等と関連するといわれている。この距骨下関節の横方向のズレや滑走を解消するために、距骨５２と踵骨５１を内側と外側から流体の入った袋体で数分間、加圧固定する。そうして膝の屈伸運動等をすると距骨が踵骨の載距突起に載り易くなるため、距骨下関節が正しい安定位置に誘導され易くなり、内反足や外反足の矯正にも寄与する。同様に、舟状骨４９と立方骨５０の関節部のズレや離開の歪みは、該当する部位の足底の違和感等として発症したりする。内側楔状骨４６、中間楔状骨４７、外側楔状骨４８と立方骨５０の横方向のつながりは、縦アーチの状態にも影響するが、横アーチの在り方にも影響する。さらに第１から第５中足骨底部を含む横アーチ部まで挟み込む機構８０を延設することで、横アーチを再生する効果を持たせることも可能である。これにより、足の３つのアーチを同時に再生することが可能になるので、荷重に強い中空の土踏まずを再生する効果が飛躍的に高まる。
【００５１】  課題解決の第１乃至第５の手段は、足の長手方向の整合力になる。これをＸ軸方向の整合とする。そして、第３及び第８の手段は、足の内側外側方向の整合力にある。これをＹ軸方向の整合とする。そして、第６及び第７の手段は、足の上下方向の整合力にある。これをＺ軸方向の整合とすると、立体空間の指標であるＸ軸方向、Ｙ軸方向、Ｚ軸方向といった３軸の整合力が揃ったことになる。各軸方向の整合手段を１づつ出して組み合わせれば、非常に広範囲の足部の歪みや苦痛を解消することができる。
【符号の説明】
【００５２】１・・・・第１の部材
２・・・・第２の部材
３・・・・移動機構
４・・・・基盤
１００・・・・第１の傾斜角を調整可能な支持機構
１０２・・・・第２の傾斜角を調整可能な支持機構
９０・・・固定可能な調整機構
５・・・・受け止め部材
５ｂ・・・圧力を分散する機能を有する部材
５０・・・押し上げる部材
６０・・・昇降機構
８０・・・挟みこむ機構
【図１】
2014213189.tif 000003
【図２】
2014213189.tif 000004
【図３】
2014213189.tif 000005
【図４】
2014213189.tif 000006
【図５】
2014213189.tif 000007
【図６】
2014213189.tif 000008
【図７】
2014213189.tif 000009